(57)【要約】      （修正有）【課題】無線カードを、装着クリップと連結したカードホルダーに収納された状態で投入し、データ処理手段で処理できる無線カードデータ処理機器を提供する。【解決手段】装着クリップを連結したカードホルダーに収納された無線カードのデータ処理機器であって、カードホルダーが容易に通過できる最小寸法の高さと、幅で形成される長方形のカードホルダー通過孔と、カードホルダー通過孔の高さを含め、且つ装着クリップが容易に通過する最小の高さと、幅で形成されるクリップ通過孔を、カードホルダー通過孔の中心部の上下方の少なくとも一方に連接させた形状の無線カード投入孔を具備した。【選択図】図３
0003124561.tif 000002
【実用新案登録請求の範囲】
【請求項１】
装着クリップを連結したカードホルダーに収納された無線カードのデータ処理機器であって、前記カードホルダーが容易に通過できる最小寸法の高さと、幅で形成される長方形のカードホルダー通過孔と、前記カードホルダー通過孔の高さを含め、且つ装着クリップが容易に通過する最小の高さと、幅で形成されるクリップ通過孔を、前記カードホルダー通過孔の中心部の上下方の少なくとも一方に連接させた形状の無線カード投入孔を具備したことを特徴とする無線カードデータ処理機器。
【考案の詳細な説明】
【技術分野】
【０００１】  本考案は、無線カードのデータを非接触で処理する機器に関し、特に、投入された装着クリップと連結したカードホルダーに収納された無線カードのデータ処理を可能とする無線カードデータ処理機器に関するものである。
【背景技術】
【０００２】  企業や、イベント会場等、施設への入退管理は、例えば自動ゲート装置に無線カード等の情報カードを投入して、付帯するデータ処理機器でカード情報を照合し、その結果から入退許可等の管理がされている。また、施設等から退場する際に情報カードをカード回収装置に投入して回収する方法も一般的に実施されている。この一例として、情報カードのデータ処理と回収を目的として下記文献の発明「カード回収装置を備えたカード処理装置」が提案されている。
【特許文献１】特開２００３−２５６７７７号公報
【考案の開示】
【考案が解決しようとする課題】
【０００３】  前記、入退場に使用される情報カードは利用者の利便性から、無線カード等の情報カード単体をカードホルダーに収納し、カードホルダーと連結された装着用クリップで利用者の胸ポケットに挟みこむ方法が一般的である。入退ゲートの通行管理に情報カードを利用するカード処理装置は前記文献の発明「カード回収装置を備えたカード処理装置」が提案されているが、情報カード単体でカード処理装置に投入するものであり、カードホルダーに収納されている情報カードを都度取出すため、取出す操作に手間取る場合が多く入退ゲートで入場の混雑の原因となっている。【０００４】  そこで、本考案は無線カードを、装着クリップと連結されたカードホルダーに収納された状態で投入し、データ処理手段でデータ処理することのできる無線カードデータ処理機器を提供することを課題とする。
【課題を解決するための手段】
【０００５】  上記課題を解決するために、本考案は、装着クリップを連結したカードホルダーに収納された無線カードのデータ処理機器であって、前記カードホルダーが容易に通過できる最小寸法の高さと、幅で形成される長方形のカードホルダー通過孔と、前記カードホルダー通過孔の高さを含め、且つ装着クリップが容易に通過する最小の高さと、幅で形成されるクリップ通過孔を、前記カードホルダー通過孔の中心部の上下方の少なくとも一方に連接させた形状の無線カード投入孔を具備したことを特徴とする。
【考案の効果】
【０００６】  本考案の無線カードデータ処理機器において、前記、無線カード投入孔に無線カードが収納され、且つ装着クリップと連結されたカードホルダーを所定の向きに投入することで、装着クリップを適正にデータ処理するための障害とならない位置に規制する。このため利用者は本考案の無線カードデータ処理機器を備えた入退ゲートでカードホルダーから無線カードを取出す必要がなく、取出すことによる無線カードの損傷や、取出す手間からの混雑を減らし、且つ退場時のカードホルダーの回収にも効果がある。
【実施例】
【０００７】  本考案の無線カードデータ処理機器は一例として入退ゲート装置に組込まれ、入場者の投入する無線カードの情報をデータ処理手段で読取り、データの照査結果が適正の場合には入退ゲートの通行路を開放して入場を許可される。また退場の場合も同様にデータ処理の結果から適正の場合には通行路が開放され、必要に応じて投入したカードホルダーと無線カードを入退ゲート装置で回収することができる。【０００８】  以下、本発明に係わる無線カードデータ処理機器の実施例について図面を参照して具体的に説明する。ただし、本考案はこれら実施例に限定されるものではないことはもちろんである。前記、構成された入退ゲートに投入される無線カードは保護や利便性の目的から透明プラスチックのカードホルダー３に収納され、カードホルダー３の上部には利用者の胸ポッケットに装着するための装着クリップ４が自在に折れ曲がる金具や紐の連結部材５で連結されているものが一般的に利用されている。図３は本考案の無線カードデータ処理機器１の前面に設けた投入孔６の一例を示し、装着クリップ４を連結したカードホルダー３に収納された無線カード２のデータ処理機器１であって、前記投入される無線カード２が収納されたカードホルダー３が容易に通過できる最小寸法の高さと、幅で形成される長方形のカードホルダー通過孔７と、前記カードホルダー通過孔７の高さを含め、且つ装着クリップ４が容易に通過する最小の高さと、幅で形成されるクリップ通過孔８を、前記カードホルダー通過孔７の中心部の上方に連接させた形状の無線カード投入孔６を形成した無線カードデータ処理機器１であり、また、図４は本考案の他の実施例で無線カード投入孔６ａを示し、前記カードホルダー通過孔７の中心部の上下方に前記クリップ通過孔８を配置した形状で刑成されている。前記、形成された無線カード投入孔６、あるいは６ａに、前記無線カード２を収納した装着クリップ４を連結したカードホルダー３の下部１０側から投入して、カードホルダー通過孔７を自重で落下する位置まで移動させると連結部材５および装着クリップ４はカードホルダー３に引っ張られる状態でクリップ通過孔８を通過する。投入時に装着クリップ４がカードホルダー３と重なっている場合は、クリップ通過孔８の寸法ｈが装着クリップ４の厚みより小さい寸法に設定されており通過の障害となるため、装着クリップ４が重なった状態で投入孔６、６ａを通過することはなく、クリップ通過孔８で重なりを解かれ、カードホルダー３と連結された状態で順次に通過する。投入孔６、６ａを通過したカードホルダー３は無線カードデータ処理機器１に配置されたガイド９、９ａに沿って自重で落下し、無線カード２の照査と判定のためデータ処理手段１１と相対する図６に示す所定の位置にシャッター１２で受止められる。【０００９】  シャッター１２で受止められたカードホルダー３に収納された無線カード２は装着クリップ４と重なる傷害もなくデータ処理手段１１で正確なデータ処理を可能とし、その結果から入退ゲートの開閉手段により通路の開放が制御される。データ処理された無線カード２を収納したカードホルダー３は、シャッター１２がソレノイド１３により開放され、入退ゲートのカード搬送手段によりカード取出し口に回送され利用者に返却される。又、退場の場合には利用者が不用となるカードホルダー３と収納した無線カード２を回収することも可能である。本考案の無線カードデータ処理機器を備えた入退ゲートを通過時は、カードホルダーから無線カードを取出す必要がなく、取出すことによる無線カードの損傷や、取出す手間からの混雑を少なくし、且つ退場時のカードホルダーの回収にも効果がある。尚、実施例の説明で入退ゲートは本考案の主旨でないため省略をする。
【図面の簡単な説明】
【００１０】
【図１】無線カードを収納したカードホルダーの正面図
【図２】無線カードを収納したカードホルダーの側面図
【図３】本考案の無線カードデータ処理機器の無線カード投入孔を示した図
【図４】本考案の無線カードデータ処理機器の他の実施例の無線カード投入孔を示した図
【図５】無線カード投入孔の断面を示し、カードホルダーを投入した状態図
【図６】無線カード投入孔の断面を示し、カードホルダーを所定位置に収めた状態図
【図７】本考案の無線カードデータ処理機器の背面図
【図８】本考案の無線カードデータ処理機器の底面図
【符号の説明】
【００１１】  １        無線カードデータ処理機器
２        無線カード
３        カードホルダー
４        装着クリップ
５        連結部材
６、６ａ  無線カード投入孔
７        カードホルダー通過孔
８        クリップ通過孔
９、９ａ  ガイド
１０        下面
１１        データ処理手段
１２        シャッター
１３        ソレノイド
【図１】
0003124561.tif 000003
【図２】
0003124561.tif 000004
【図３】
0003124561.tif 000005
【図４】
0003124561.tif 000006
【図５】
0003124561.tif 000007
【図６】
0003124561.tif 000008
【図７】
0003124561.tif 000009
【図８】
0003124561.tif 000010